(57)【特許請求の範囲】
【請求項１】
２軸延伸フィルムで構成され、周縁をシュリンク加工して包装容器本体を密閉する蓋であって、この蓋の延伸軸に沿って設けられた並行する２本の打ち抜き線分と、これら２本の線分の中間部またはいずれか一方の終端部を接続する１本の打ち抜き線分からなる開封線を設けて舌部を形成し、この開封線全体を覆う粘着テープを表側から貼着したことを特徴とする包装容器の蓋。
【請求項２】
粘着テープは、少なくとも延伸軸に沿った一方端部を非粘着部とした請求項１記載の包装容器の蓋。
【請求項３】
粘着テープは２本の並行する線分の中間部の線分近傍で２枚に分離して、２つの舌部にそれぞれ貼着した請求項１または２記載の包装容器の蓋。
【発明の詳細な説明】
【０００１】
【発明が属する技術分野】
本発明は、生麺などを収容する合成樹脂容器の蓋の構造に係り、容易に取り外すことができる技術に関するものである。
【０００２】
【従来の技術】
従来から生麺などの包装容器として、内部が見える透明容器をシュリンクフィルムの蓋で被蔽し、蓋の周囲を加熱して透明容器を密閉する構造のものが多く開示されている。この構造は密閉容器としては簡易かつ衛生的であり、しかも密閉性が高いために、生麺でも乾燥を防ぐことができるという利点がある。
【０００３】
【発明が解決しようとする課題】
ところで、上述した容器の場合、密閉性が高いので商品の品質管理には好ましいが、消費者が蓋を開けるときにはシュリンク材が熱処理によって縮んで固くなっているので、非常に開け辛いという問題がある。そこで、従来の開蓋を容易にするための構成として、たとえば特開平７−２０６０４２号公報や特開平８−２８２７１３号公報に開示された技術がある。
【０００４】
ここで、特開平７−２０６０４２号公報記載の発明では、蓋の折り返し外周のスカート部にタブを設け、このタブの両側縁にＶノッチを形成したものであるが、シュリンク材で形成された蓋は熱処理によって縮むので固くなると同時に、タブも縮んで小さくなってしまうので、引っ張りにくいという課題を有している。又、操作する場合に縮んで固くなったタブが爪の間に刺さり込んで怪我をしてしまうという問題もある。一方、特開平８−２８２７１３号公報記載の発明では、スカート部の周縁にタブを設け、このタブの基部両側に有機溶剤による劣化部を設けた構成が開示されているが、タブが引っ張りにくく怪我をするおそれがあるという同様の問題があるとともに、食品に対して毒性がある有機溶剤を使用するという衛生上の問題もある。
【０００５】
本発明では、上述した従来の課題を解決しようとするもので、簡単な構成を採用するだけで、密閉された蓋を容易に取り外すことができる蓋構造を提供することを目的とするものである。
【０００６】
【課題を解決するための手段】
本発明では、上記目的を達成するために、２軸延伸フィルムで構成され、周縁をシュリンク加工して包装容器本体を密閉する蓋であって、この蓋の延伸軸に沿って設けられた並行する２本の打ち抜き線分と、これら２本の線分の中間部またはいずれか一方の終端部を接続する１本の打ち抜き線分からなる開封線を設けて舌部を形成し、この開封線全体を覆う粘着テープを表側から貼着するという手段を採用することとした。２本の打ち抜き線分と、その中間部または終端部の１本の打ち抜き線分は、粘着テープを剥離することでテープと共に舌部が浮き上がり、シュリンク材からなる蓋を、延伸軸に沿って容易に破断するためのものである。粘着テープは上記破断に際して、これを引っ張ることによって粘着性によって蓋材を容易に破断させると同時に、打ち抜き線分から水分が蒸発せず、かつ菌の侵入を防ぐ役目を果たす。
【０００７】
また、粘着テープの少なくとも延伸軸に沿った一方端部を非粘着部とすることによって、この部分を案内片として引っ張りやすくしている。さらに、粘着テープを２本の並行する線分の中間部の線分近傍で２枚に分離して、２つの舌部にそれぞれ貼着することにより、一方を引き剥がした後でも他方のテープが残っているので、破断開始部が容易に確認できるものである。
【０００８】
【発明の実施の形態】
以下本発明の好ましい実施形態を、添付した図面に従って説明する。図１は本発明の一実施形態を示し、１は２軸延伸フィルムで構成された蓋体、２はその周縁に形成されたリブであり、これを容器本体（図示せず）にかぶせた後に熱処理によっていわゆるシュリンク加工を施し、リブ２の下縁を収縮させて密閉する。これらの包装技術については従来から行われているものと同様である。
【０００９】
次に本発明の要点として開示する構成として、３は開封線であって、蓋１の表面平面部に設けられた貫通線で、平面視においてＨ形状に打ち抜かれた結果、第１の舌部４と第２の舌部５を形成している。本実施形態では図示したようにＨ形状の上半分の２本の線分、即ち蓋の中心側を下半分、即ち周縁側よりも延長しているが、その比率は大きい要素ではない。必要な構成は、２本の並行する線分とこれらの中間部を接続する１本の線分によって開封線となすことである。６は開封線３全体を覆う程度の面積を有するシールであり、開封線３を含んだ蓋表面に粘着されている。６ａはシール６の蓋周縁側の非粘着部であって、シール６を剥離する際の案内片として機能する。図２にこれらの拡大平面図を示す。
【００１０】
上述した構成において、容器本体に密閉された蓋１を取り外すには、先ず案内片として機能する非粘着部６ａをつまんでシール６を中心方向（図２矢印Ａ方向）に引き剥がす。そうすると、開封線３で区画された第１の舌部４がシール６に粘着した状態で図３に示すようにシール６と共に浮き上がる。そしてそのままシール６を蓋の中心方向（図３矢印Ｂ方向）に向かって引き上げていけば蓋の材質が２軸延伸フィルムであるから、延伸軸方向に破断され、蓋はおよそ中心を含んで大きく開封される。このようにして、蓋１は中心側が大きく破断して開封口が生じる。
【００１１】
ところで、上述した中心側の開封口だけでは、蓋１の周縁下端部がシュリンク加工によって収縮して固くなっており、いまだにこの部分が残ることになる。従って、この部分を破断するほうがより容易に蓋を取り外すことができる。そこで、図４の状態で残っている第２の舌部５を指でつまんで引き上げ、そのまま周縁方向（図４矢印Ｃ方向）に引っ張れば、シュリンク加工した周縁部を含んで破断することができる。その結果、蓋は周縁部から中央部を含んで大きく破断され、容易に取り外すことができる。
【００１２】
なお、実施形態では蓋の形状を略四角形状とし、開封線３は辺に並行になるように設けているが、本技術で重要なことは２軸延伸方向のいずれか１軸に沿って開封線３を設けることであって、このようにすることによって蓋を構成するフィルムが容易に破断される。多軸延伸の場合であっても、いずれか１軸にそって開封線３を設けるようにする。
【００１３】
また、開封線３の形状としては本実施形態のようにＨ形状のうちの２本の線分の比率は問わないものであるし、フィルムをより容易に破断するために、例えば図５のようにＨ形状の並行する２本の線分の両端を狭めたり、図６のように逆に拡開する構成とすることもある。これらは舌部を引っ張ったときにフィルムがより破断しやすいようにすることを目的とするものである。
【００１４】
図７は第２の実施形態を示した横断面図であり、短い方の舌部５を覆うようにテープ８を貼着すると共に、長い方の舌部４を覆うようにテープ７を貼着したものである。本質的な技術的特徴としては第１の実施形態と変わらないが、粘着テープを２分することにより、先ずテープ７を矢印方向Ｄに引き剥がした後にテープ８が残るので、例えばテープ８の表面に案内を印刷しておけば容易に舌部５を引っ張ることができ、作業性が向上する。
【００１５】
上述した実施形態のように、粘着テープによって開封線を破断する場合、先ず中央部に向かって開封し、次に周縁に向かって開封するだけでなく、第１実施形態では非粘着部を中央側に設け、第２実施形態ではテープの貼着順を逆にすれば、先ず周縁に向かって開封し、続いて中央側に開封することができるが、本発明ではこれらも含んでいる。さらにまた、より簡易な開封のための構成としては、２本の並行する打ち抜き線分の中央側終端部を線分で接続して、コ字状の開封線を形成し、中央側に非粘着部を形成した粘着テープを設けることも可能である。この場合には、蓋の破断は粘着テープを引き上げることによって周縁部に向かって行われることになるが、少なくとも一番固く、かつ指などを怪我しやすいシュリンク加工部を開封することができ、使用上での従来からの問題は確実に解決することができる。開封線がコ字状の構成においては、終端部の接続線を中央側に設けることも、周縁側に設けることも可能であるが、開封の目的などを考慮すると、上記開示のように中央側に形成することがより好ましい。
【００１６】
【発明の効果】
本発明では上述した構成を採用したので、粘着テープをつまんで引っ張り上げるだけで蓋が開封線に沿って大きく破断するので、指を傷つけることなく簡単に開封することができる。また、粘着テープで開封線を密封しているので、直前まで密封状態を維持することができ、乾燥を防ぐことができるとともに、衛生的である。粘着テープに非粘着部を形成したものは、テープをつまむのに容易であるとともに、引っ張り方向を容易に定めることができ、テープを２分した構成においてはテープの引っ張り順が容易に確認できる。
【図面の簡単な説明】
【図１】本発明の好ましい実施形態を示す斜視図
【図２】開封線と粘着テープの構成を示す平面図
【図３】開封状態を示す斜視図
【図４】同、斜視図
【図５】開封線の別実施形態を示す平面図
【図６】同、開封線のさらに別実施形態を示す平面図
【図７】第２実施形態を示す縦断面図
【符号の説明】
１      蓋体
２      リブ
３      開封線
４・５    舌部
６      シール
７      テープ
【図１】
0003979547.tif 000002
【図２】
0003979547.tif 000003
【図３】
0003979547.tif 000004
【図４】
0003979547.tif 000005
【図５】
0003979547.tif 000006
【図６】
0003979547.tif 000007
【図７】
0003979547.tif 000008